(57)【要約】      （修正有）【課題】組み合わせ強度が強く、大型の物を組み立てることができる積み木の構造を提供する。【解決手段】主に一つのジョイントユニット及び少なくとも一つのジョイント棒３０で構成する積み木の構造である。該ジョイントユニットは一つから数個のジョイント４０を具有し、各ジョイント４０は少なくとも一つの螺接端面４１を具有し、該各螺接端面４１は一つの正逆転ネジ穴４３を具有し、正逆転ネジ穴４２は複数の正転スクリュー溝４３と複数の逆転スクリュー溝４４が間隔を開けて交互に設置して構成する。ジョイント棒３０の一端に間隔を開けて排列する数個の正転外ねじ山３０１を具有し、別端は間隔を開けて排列する数個の逆転外ねじ山３０２を具有する。ジョイント棒３０を一つの方向に沿って回転する際、該複数の正転外ねじ山３０１と該複数の逆転外ねじ山３０２を同時に二つの相対するジョイント４０の間にある正逆転ネジ穴４２の中で螺合できる。【選択図】図８
0003201837.tif 000002
【実用新案登録請求の範囲】
【請求項１】
一つのジョイントユニット及び少なくとも一つのジョイント棒を含み、
該ジョイントユニットは一つから数個のジョイントを具有し、該各ジョイントは少なくとも一つの螺接端面を具有し、該各螺接端面は一つの正逆転ネジ穴を具有し、該正逆転ネジ穴は一つから数個の正転スクリュー溝と一つから数個の逆転スクリュー溝が間隔を開けて交互に設置して構成し、
該ジョイント棒の一端に一つから数個の間隔を開けて設置する正転外ねじ山を設置し、別端は一つから数個の間隔を開けて設置する逆転外ねじ山を設置することを特徴とする積み木の構造。
【請求項２】
前記ジョイント棒の中段外直径は螺接端面の外直径と同じであることを特徴とする請求項１記載の積み木の構造。
【請求項３】
前記各正転スクリュー溝及び各逆転スクリュー溝の螺旋の長さは、半円周の長さより長い或いは等しく設定し、該各正転外ねじ山及び逆転外ねじ山の螺旋の長さは、半円周の長さより長い或いは等しく設定することを特徴とする請求項１記載の積み木の構造。
【請求項４】
前記ジョイントユニットは更に一つから数個の直角ダブルジョイントを含み、該直角ダブルジョイントは二つの管本体を直角に呈して構成し、該各管本体は各一つの螺接端面を具有し、各螺接端面は一つの正逆転ネジ穴を具有し、各正逆転ネジ穴は一本から数本の正転スクリュー溝と一本から数本の逆転スクリュー溝を間隔を開けて交互に設置して構成することを特徴とする請求項１記載の積み木の構造。
【請求項５】
前記ジョイントユニットは更に一つから数個の軸管付き直角ダブルジョイントと、一つから数個の管栓シングルジョイント、一つから数個の直角Ｃ型クランプシングルジョイント、一つから数個の斜角Ｃ型クランプシングルジョイントを含み、
該軸管付き直角ダブルジョイントは、一つの穴を具有する軸管の外表面の直角を呈す場所に各一つの螺接端面を形成し、該各螺接端面は一つの正逆転ネジ穴を具有し、各正逆転ネジ穴は一本から数本の正転スクリュー溝と一本から数本の逆転スクリュー溝を間隔を開けて交互に設置して構成し、
該管栓シングルジョイントの一端は一つの螺接端面を具有し、別端は円弧型の閉鎖端を形成し、該螺接端面は一つの正逆転ネジ穴を具有し、各正逆転ネジ穴は一本から数本の正転スクリュー溝と一本から数本の逆転スクリュー溝を間隔を開けて交互に設置して構成し、
該直角Ｃ型クランプシングルジョイントは一つのＣ型クランプの側面に一つの螺接端面を形成し、該螺接端面は一つの正逆転ネジ穴を具有し、各正逆転ネジ穴は一本から数本の正転スクリュー溝と一本から数本の逆転スクリュー溝を間隔を開けて交互に設置して構成し、該Ｃ型クランプと螺接端面は垂直に設置し、
該斜角Ｃ型クランプシングルジョイントは一つのＣ型クランプの側面に一つの螺接端面を形成し、該螺接端面は一つの正逆転ネジ穴を具有し、各正逆転ネジ穴は一本から数本の正転スクリュー溝と一本から数本の逆転スクリュー溝を間隔を開けて交互に設置して構成し、該Ｃ型クランプと螺接端面は傾斜して設置することを特徴とする請求項１記載の積み木の構造。
【請求項６】
前記ジョイントユニットは更に一つから数個の軸管付き同軸ダブルジョイント、一つから数個の軸管付き直角ダブルジョイント、一つから数個の軸管付きＴ型トリプルジョイント、一つから数個の管栓シングルジョイントを含み、
前記軸管付き同軸ダブルジョイントは、一つの穴を具有する軸管の相対する外表面に各一つの螺接端面を形成し、該各螺接端面は一つの正逆転ネジ穴を具有し、各正逆転ネジ穴は一本から数本の正転スクリュー溝と一本から数本の逆転スクリュー溝を間隔を開けて交互に設置して構成し、
前記軸管付き直角ダブルジョイントは、一つの穴を具有する軸管の外表面と直角を呈す場所にそれぞれ一つの螺接端面を形成し、該各螺接端面は一つの正逆転ネジ穴を具有し、各正逆転ネジ穴は一本から数本の正転スクリュー溝と一本から数本の逆転スクリュー溝を間隔を開けて交互に設置して構成し、
前記軸管付きＴ型トリプルジョイントは、一つの穴を具有する軸管の外表面に三つの螺接端面を形成し、該各螺接端面は一つの正逆転ネジ穴を具有し、各正逆転ネジ穴は一本から数本の正転スクリュー溝と一本から数本の逆転スクリュー溝を間隔を開けて交互に設置して構成し、
前記管栓シングルジョイントの一端は一つの螺接端面を具有し、別端は円弧型の閉鎖端を形成し、該螺接端面は一つの正逆転ネジ穴を具有し、各正逆転ネジ穴は一本から数本の正転スクリュー溝と一本から数本の逆転スクリュー溝を間隔を開けて交互に設置して構成することを特徴とする請求項１記載の積み木の構造。
【請求項７】
前記ジョイントユニットは更に一つから数個の連体平行クアトラプルジョイント、一つから数個の異方向軸管ダブルジョイント、一つから数個の管栓シングルジョイント、一つから数個の直角軸管付きシングルジョイントを含み、
前記連体平行クアトラプルジョイントは、一つの連結片の同一側面に間隔を開けて排列する二つの同軸ダブルジョイントを形成し、該同軸ダブルジョイントの両端にそれぞれ一つの螺接端面を形成し、該各螺接端面は一つの正逆転ネジ穴を具有し、各正逆転ネジ穴は一本から数本の正転スクリュー溝と一本から数本の逆転スクリュー溝を間隔を開けて交互に設置して構成し、
前記異方向軸管ダブルジョイントは、一つの連結片の同側に一つの同軸ダブルジョイント及び一つの軸管を形成し、該同軸ダブルジョイントの両端にそれぞれ一つの螺接端面を形成し、該各螺接端面は一つの正逆転ネジ穴を具有し、各正逆転ネジ穴は一本から数本の正転スクリュー溝と一本から数本の逆転スクリュー溝を間隔を開けて交互に設置して構成し、該軸管は両端を貫通した一つの穴を具有し、同軸ダブルジョイントと軸管を垂直に設置し、
前記管栓シングルジョイントの一端は一つの螺接端面を具有し、別端は円弧型の閉鎖端を形成し、該螺接端面は一つの正逆転ネジ穴を具有し、各正逆転ネジ穴は一本から数本の正転スクリュー溝と一本から数本の逆転スクリュー溝を間隔を開けて交互に設置して構成し、
前記直角軸管付きシングルジョイントは、一つの穴を具有する軸管の外表面に一つの螺接端面を形成し、該螺接端面は一つの正逆転ネジ穴を具有し、各正逆転ネジ穴は一本から数本の正転スクリュー溝と一本から数本の逆転スクリュー溝を間隔を開けて交互に設置して構成し、該軸管と螺接端面は垂直に設置することを特徴とする請求項１記載の積み木の構造。
【請求項８】
前記ジョイントユニットは更に一つから数個の軸管付き十字クアトラプルジョイントを含み、
前記軸管付き十字クアトラプルジョイントは、一つの穴を具有する軸管の外表面に四つの螺接端面を形成し、該各螺接端面は互いに直角に設置し、各螺接端面は一つの正逆転ネジ穴を具有し、各正逆転ネジ穴は一本から数本の正転スクリュー溝と一本から数本の逆転スクリュー溝を間隔を開けて交互に設置して構成することを特徴とする請求項１記載の積み木の構造。
【請求項９】
前記ジョイントユニットは更に一つから数個の斜角軸管付きシングルジョイントを含み、
前記斜角軸管付きシングルジョイントは、一つの穴を具有する軸管の外表面に一つの螺接端面を形成し、該螺接端面は一つの正逆転ネジ穴を具有し、各正逆転ネジ穴は一本から数本の正転スクリュー溝と一本から数本の逆転スクリュー溝を間隔を開けて交互に設置して構成し、該軸管と螺接端面は傾斜して設置することを特徴とする請求項１記載の積み木の構造。
【請求項１０】
前記軸管の穴は各螺接端面を挿入して可動回転できる枢軸状態を形成できることを特徴とする請求項７記載の積み木の構造。
【考案の詳細な説明】
【技術分野】
【０００１】
本考案は積み木の構造に関し、特に螺接の方法で組み立てる積み木の構造に関する。
【背景技術】
【０００２】
市販されている積み木の種類は多く、異なる幾何図形のブロック体で積み重ねる積み木や、各積み木に凹部と凸部を設置して嵌合する積み木などがある。しかし、これらの積み木は組み立てる際に構造強度が弱く、崩れやすく外れやすいため、大型のものを組み立てることが難しく、組み立てる際も分解する際にも一つ一つしなければならないため、不便で時間がかかるなどを鑑みて、更なる改善が必要であった。
【先行技術文献】
【特許文献】
【０００３】
【特許文献１】特開２００１−３０３５７７号公報
【考案の概要】
【考案が解決しようとする課題】
【０００４】
前記公知構造の欠点を解決するため、本考案は組合せ強度が強く、大型のものを組み立てることができ、且つ素早く組み立てる、或いは分解することができ、便利で時間を節約できる効果を持つ積み木の構造を提供することを主な課題とする。
【課題を解決するための手段】
【０００５】
前記課題を解決するために、本考案は積み木の構造を提供するものである。従来技術の積み木は、構造の強度が弱く、崩れやすく緩みやすいなどの情事が起こりやすい。及び組み立てる際或いは分解する際に手間がかかり、時間もかかって素早くできない問題があった。本考案が提供する積み木の構造に主に含まれるのは一つのジョイントユニット及び、少なくとも一つのジョイント棒である。該ジョイントユニットは一つから数個のジョイントを具有し、該各ジョイントは少なくとも一つの螺接端面を具有し、該各螺接端面は一つの正逆転ネジ穴を具有し、該正逆転ネジ穴は一つから数個の正転スクリュー溝と一つから数個の逆転スクリュー溝が間隔を開けて交互に設置して構成する。
【０００６】
該ジョイントユニットの各ジョイントの各螺接端面のネジ穴に、同時に正転スクリュー溝及び逆転スクリュー溝を設けることで、該ジョイントユニットの各ジョイントを製造する際に、特別に正転ねじ山の螺合或いは逆転ねじ山の螺合のための二種類のジョイントユニットを区別する必要がなく、大幅に金型の製作、及び生産量或いは在庫圧力を減らすことができる。同時にユーザーが使用する際、特定のジョイントを選ぶ必要がなく、全て任意にジョイント棒の如何なる一端にある正転外ねじ山或いは逆転外ねじ山と組み合わせることができる。
【０００７】
該ジョイント棒の両端にある外ねじ山は複数の正転外ねじ山或いは複数の逆転外ねじ山で構成し、及び該各ジョイントの各正逆転ネジ穴に合わせて、複数の正転スクリュー溝と複数の逆転スクリュー溝が間隔を開けて交互に設置して構成することで、該ジョイント棒の両端にある外ねじ山は極めて早く、各ジョイントの螺合ポイントを見つけることができ、且つ極めて短い回転弧度で定位まで螺着することができ、素早く分解できる。
【考案の効果】
【０００８】
本考案の部品及び構造により、組合せ強度が強いため、崩れにくく、外れにくいため、大型のものを組み立てることができ、且つ素早く組み立てる、或いは分解することができ、便利で時間を節約できる効果を持つ。
【図面の簡単な説明】
【０００９】
【図１】本考案の最良実施例の局部部品(ジョイント棒)の立体図である。
【図２】本考案の最良実施例の局部部品(ジョイント棒)の立体図である。
【図３】本考案の最良実施例の局部(ジョイント棒)部品の立体図である。
【図４】本考案の最良実施例の局部(ジョイント)部品の立体図である。
【図５】本考案の最良実施例の局部(ジョイント)部品の立体図である。
【図６】本考案の最良実施例の局部(ジョイント)部品の立体図である。
【図７】本考案の最良実施例の使用状態断面動作略図である。(ジョイント棒とジョイントの螺合状況を表示)
【図８】本考案の最良実施例の使用状態断面動作略図である(ジョイント棒とジョイントの分離状況を表示)
【図９】本考案の最良実施例の各種タイプのジョイントの立体図である。
【図１０】本考案の最良実施例の第一作品の立体図である。
【図１１】本考案の最良実施例の第二作品の動作立体図である。
【図１２】本考案の最良実施例の第二作品の動作立体図である。
【考案を実施するための形態】
【００１０】
以下、本考案の構造と特徴および効果を、最良実施例と図面を参照しながら詳細に説明する。
【実施例】
【００１１】
図１から図８に示すのは、本考案の最良実施例が提供する一種の積み木構造であり、主に含まれるのは、数個のジョイント４０、及び少なくとも一つのジョイント棒３０である。
【００１２】
図１から図３に示すように、該ジョイント棒３０、３１、３２は組立のニーズに基づき、様々な長さに設定することができる。両末端は比較的小さい直径に形成し、うち一つの末端に間隔開けて排列する四本の正転外ねじ山３０１を形成し、正転外ねじ山３０１に隣接するジョイント棒３０の外表面に識別のために一つの(＋)の符号を表示する。別末端に間隔を開けて排列する四本の逆転外ねじ山３０２を形成し、逆転外ねじ山３０２に隣接するジョイント棒３０の外表面に識別のために一つの(−)の符号を表示する。該各正転外ねじ山３０１及び逆転外ねじ山３０２の螺旋の長さは、半円周の長さより長い或いは等しく設定する。
【００１３】
図４から図６に示すように、該ジョイント４０は少なくとも一つの螺接端面４１を具有し、該螺接端面４１は一つの正逆転ネジ穴４２を具有し、該正逆転ネジ穴４２は四本の正転スクリュー溝４３と四本の逆転スクリュー溝４４が間隔を開けて交互に設置して構成する。各正転スクリュー溝４３及び各逆転スクリュー溝４４の螺旋の長さは、半円周の長さより長い或いは等しく設定する。該ジョイント４０の別端は組立のニーズにより、異なるタイプの形状或いは構造に設定することができる。
【００１４】
図７、図８に示すように、以下に本考案の特徴を紹介する。各ジョイント４０は全て一つの螺接端面４１を具有するため、各螺接端面４１はいずれも一つの正逆転ネジ穴４２を具有する。互いに相対する二つのジョイント４０の間でも、ジョイント棒３０の両末端の正転外ねじ山３０１、逆転外ねじ山３０２を各自対応するジョイント４０の正逆転ネジ穴４２の中に螺合することができる。該各ジョイント４０の正逆転ネジ穴４２は同時に正転スクリュー溝４３及び逆転スクリュー溝４４を具有するため、ジョイント棒３０の正転外ねじ山３０１或いは逆転外ねじ山３０２でも、いずれも対応する正逆転ネジ穴の中に螺合することができる。図７に示すように、該ジョイント棒３０を一つの回転方向に沿って回転する時、ジョイント棒４０の両端にある複数の正転外ねじ山３０１と該複数の逆転外ねじ山３０２を同時に二つの相対するジョイント４０の正逆転ネジ穴４２の中にしっかり螺合することができる。或いは逆方向に回転する際、該ジョイント棒３０の両端にある複数の正転外ねじ山３０１と該複数の逆転外ねじ山３０２を同時に該二つのジョイント４０の正逆転ネジ穴４２と離すことができ、素早く組み立てる目的に達し、便利で時間を節約できる効果を具有する。それに、本考案はねじ穴とねじ山による結合であるため、組み立てた後の強度が極めて強く、簡単に緩む、崩れることが起こりにくいため、大型構造を組み立てることができる。更に該ジョイント棒３０の両端にある外ねじ山は複数の正転外ねじ山３０１及び複数の逆転外ねじ山３０２で構成し、及び該各ジョイント４０の各正逆転ネジ穴４２に合わせて、複数の正転スクリュー溝４３と複数の逆転スクリュー溝４４が間隔を開けて交互に設置して構成することで、該ジョイント棒３０の両端にある外ねじ山は極めて早く、各ジョイント４０の正逆転ネジ穴４２の螺合ポイントを見つけることができ、且つ極めて短い回転弧度で定位まで螺着することができ、更に組立分解のスピードを速めることができる。
【００１５】
更に図９に示すのは、本実施例のジョイントの各種実施態様である。それに含まれるのは一つの同軸ダブルジョイント１１、一つの直角ダブルジョイント１２、一つの軸管付き同軸ダブルジョイント１３、一つの軸管付き直角ダブルジョイント１４、一つの軸管付きＴ型トリプルジョイント１５、一つの軸管付き十字クアトラプルジョイント１６、一つの連体平行クアトラプルジョイント１７、一つの異方向軸管ダブルジョイント１８、一つの管栓シングルジョイント１９、一つの直角Ｃ型クランプシングルジョイント２０、一つの斜角Ｃ型クランプシングルジョイント２１、一つの直角軸管付きシングルジョイント２２、一つの斜角軸管付きシングルジョイント２３などの部品である。
【００１６】
該同軸ダブルジョイント１１は両端が貫通する管本体を呈し、各端は一つの螺接端面１１４を具有する。各螺接端面１１４は一つの正逆転ネジ穴１１１を具有し、各正逆転ネジ穴１１１は四本の正転スクリュー溝１１２と、四本の逆転スクリュー溝１１３を間隔を開けて交互に設置して構成する。
【００１７】
該直角ダブルジョイント１２は二つの管本体を直角に呈して構成し、該各管本体は各一つの螺接端面１２４を具有し、各螺接端面１２４は一つの正逆転ネジ穴１２１を具有する。各正逆転ネジ穴１２１は四本の正転スクリュー溝１２２と四本の逆転スクリュー溝１２３を間隔を開けて交互に設置して構成する。
【００１８】
該軸管付き同軸ダブルジョイント１３は、一つの穴１３５を具有する軸管１３４の相対する外表面に各一つの螺接端面１３６を形成する。該各螺接端面１３６は一つの正逆転ネジ穴１３１を具有し、各正逆転ネジ穴１３１は四本の正転スクリュー溝１３２と四本の逆転スクリュー溝１３３を間隔を開けて交互に設置して構成する。
【００１９】
該軸管付き直角ダブルジョイント１４は、一つの穴１４５を具有する軸管１４４の外表面と直角を呈す場所にそれぞれ一つの螺接端面１４６を形成する。該各螺接端面１４６は一つの正逆転ネジ穴１４１を具有し、各正逆転ネジ穴１４１は四本の正転スクリュー溝１４２と四本の逆転スクリュー溝１４３を間隔を開けて交互に設置して構成する。
【００２０】
該軸管付きＴ型トリプルジョイント１５は、一つの穴１５５を具有する軸管１５４の外表面に三つの螺接端面１５６を形成する。該各螺接端面１５６は一つの正逆転ネジ穴１５１を具有し、各正逆転ネジ穴１５１は四本の正転スクリュー溝１５２と四本の逆転スクリュー溝１５３を間隔を開けて交互に設置して構成する。
【００２１】
該軸管付き十字クアトラプルジョイント１６は、一つの穴１６５を具有する軸管１６４の外表面に四つの螺接端面１６６を形成する。該各螺接端面１６６は互いに直角に設置し、該各螺接端面１６６は一つの正逆転ネジ穴１６１を具有し、各正逆転ネジ穴１６１は四本の正転スクリュー溝１６２と四本の逆転スクリュー溝１６３を間隔を開けて交互に設置して構成する。
【００２２】
該連体平行クアトラプルジョイント１７は、一つの連結片１７１の同一側面に間隔を開けて排列する二つの同軸ダブルジョイント１７２を形成し、該各同軸ダブルジョイント１７２の両端にそれぞれ一つの螺接端面１７３を形成する。該各螺接端面１７３は一つの正逆転ネジ穴１７４を具有し、各正逆転ネジ穴１７４は四本の正転スクリュー溝１７５と四本の逆転スクリュー溝１７６を間隔を開けて交互に設置して構成する。
【００２３】
該異方向軸管ダブルジョイント１８は、一つの連結片１８１の同側に一つの同軸ダブルジョイント１８２及び一つの軸管１８３を形成し、該同軸ダブルジョイント１８２の両端にそれぞれ一つの螺接端面１８４を形成する。該各螺接端面１８４は一つの正逆転ネジ穴１８５を具有し、各正逆転ネジ穴１８５は四本の正転スクリュー溝１８６と四本の逆転スクリュー溝１８７を間隔を開けて交互に設置して構成する。該軸管１８３は両端を貫通した一つの穴１８８を具有し、同軸ダブルジョイント１８２と軸管１８３は垂直に設置する。
【００２４】
該管栓シングルジョイント１９の一端は一つの螺接端面１９５を具有し、別端は円弧型の閉鎖端１９４を形成する。該螺接端面１９５は一つの正逆転ネジ穴１９１を具有し、各正逆転ネジ穴１９１は四本の正転スクリュー溝１９２と四本の逆転スクリュー溝１９３を間隔を開けて交互に設置して構成する。
【００２５】
該直角Ｃ型クランプシングルジョイント２０は一つのＣ型クランプ２０４の側面に一つの螺接端面２０５を形成する。該螺接端面２０５は一つの正逆転ネジ穴２０１を具有し、各正逆転ネジ穴２０１は四本の正転スクリュー溝２０２と四本の逆転スクリュー溝２０３を間隔を開けて交互に設置して構成する。該Ｃ型クランプ２０４と螺接端面２０５は垂直に設置する。
【００２６】
該斜角Ｃ型クランプシングルジョイント２１は一つのＣ型クランプ２１４の側面に一つの螺接端面２１５を形成する。該螺接端面２１５は一つの正逆転ネジ穴２１１を具有し、各正逆転ネジ穴２１１は四本の正転スクリュー溝２１２と四本の逆転スクリュー溝２１３を間隔を開けて交互に設置して構成する。該Ｃ型クランプ２０４と螺接端面２０５は傾斜して設置する。
【００２７】
該直角軸管付きシングルジョイント２２は、一つの穴２２５を具有する軸管２２４の外表面に一つの螺接端面２２６を形成する。該螺接端面２２６は一つの正逆転ネジ穴２２１を具有し、各正逆転ネジ穴２２１は四本の正転スクリュー溝２２２と四本の逆転スクリュー溝２２３を間隔を開けて交互に設置して構成する。該軸管２２４と螺接端面２２６は垂直に設置する。
【００２８】
該斜角軸管付きシングルジョイント２３は、一つの穴２３５を具有する軸管２３４の外表面に一つの螺接端面２３６を形成する。該螺接端面２３６は一つの正逆転ネジ穴２３１を具有し、各正逆転ネジ穴２３１は四本の正転スクリュー溝２３２と四本の逆転スクリュー溝２３３を間隔を開けて交互に設置して構成する。該軸管２３４と螺接端面２３６は傾斜して設置する。
【００２９】
図１０から図１２に示すように、上述の各タイプのジョイントに含まれるのは  同軸ダブルジョイント１１、直角ダブルジョイント１２、軸管付き同軸ダブルジョイント１３、軸管付き直角ダブルジョイント１４、軸管付きＴ型トリプルジョイント１５、軸管付き十字クアトラプルジョイント１６、連体平行クアトラプルジョイント１７、異方向軸管ダブルジョイント１８、管栓シングルジョイント１９、直角Ｃ型クランプシングルジョイント２０、斜角Ｃ型クランプシングルジョイント２１、直角軸管付きシングルジョイント２２、斜角軸管付きシングルジョイント２３などの部品であり、それらの螺接端面、正逆ネジ穴(番号を全て記さない)の大小のサイズ規格を同じように設定し、該各正転スクリュー溝及び各逆転スクリュー溝の螺旋の長さは、半円周の長さより長い或いは等しく設定する。各種タイプのジョイントの軸管及び当該穴の大小規格を同じように設定し、該サイズを各螺接端面よりやや大きくし、上述の各種ジョイントの中の別のジョイントに、該螺接端面より軸管の中に挿入することで、枢軸状態を形成し、可動回転の構造になる。また、強調したいのは、各長さのジョイント棒３０、３１の外形は、各螺接端面の外形と同じである。図１０に示すのは、複数の同軸ダブルジョイント１１、軸管付き直角ダブルジョイント１４、管栓シングルジョイント１９、直角Ｃ型クランプシングルジョイント２０、斜角Ｃ型クランプシングルジョイント２１を様々異なる長さのジョイント棒３０、３１と合わせて完成する第一作品５０である。図１１、図１２に示すように、それは同軸ダブルジョイント１１、軸管付きＴ型トリプルジョイント１５、連体平行クアトラプルジョイント１７、異方向軸管ダブルジョイント１８、管栓シングルジョイント１９、直角Ｃ型クランプシングルジョイント２０、直角軸管付きシングルジョイント２２を様々な長さのジョイント棒３０、３１と合わせて完成する第二作品６０である。且つ連体平行クアトラプルジョイント１７、異方向軸管ダブルジョイント１８と直角軸管付きシングルジョイント２２を組合した時の枢軸状態を利用することで、第二作品６０は回転して角度を調整できる。
【符号の説明】
【００３０】
１０  ジョイントユニット
１１  同軸ダブルジョイント
１１１  正逆転ネジ穴
１１２  正転スクリュー溝
１１３  逆転スクリュー溝
１１４  螺接端面
１２  直角ダブルジョイント
１２１  正逆転ネジ穴
１２２  正転スクリュー溝
１２３  逆転スクリュー溝
１２４  螺接端面
１３  軸管付き同軸ダブルジョイント
１３１  正逆転ネジ穴
１３２  正転スクリュー溝
１３３  逆転スクリュー溝
１３４  軸管
１３５  穴
１３６  螺接端面
１４  軸管付き直角ダブルジョイント
１４１  正逆転ネジ穴
１４２  正転スクリュー溝
１４３  逆転スクリュー溝
１４４  軸管
１４５  穴
１４６  螺接端面
１５  軸管付きＴ型トリプルジョイント
１５１  正逆転ネジ穴
１５２  正転スクリュー溝
１５３  逆転スクリュー溝
１５４  軸管
１５５  穴
１５６  螺接端面
１６  軸管付き十字クアトラプルジョイント
１６１  正逆転ネジ穴
１６２  正転スクリュー溝
１６３  逆転スクリュー溝
１６４  軸管
１６５  穴
１６６  螺接端面
１７  連体平行クアトラプルジョイント
１７１  連結片
１７２  同軸ダブルジョイント
１７３  螺接端面
１７４  正逆転ネジ穴
１７５  正転スクリュー溝
１７６  逆転スクリュー溝
１８  異方向軸管ダブルジョイント
１８１  連結片
１８２  同軸ダブルジョイント
１８３  軸管
１８４  螺接端面
１８５  正逆転ネジ穴
１８６  正転スクリュー溝
１８７  逆転スクリュー溝
１８８  穴
１９  管栓シングルジョイント
１９１  正逆転ネジ穴
１９２  正転スクリュー溝
１９３  逆転スクリュー溝
１９４  閉鎖端
１９５  螺接端面
２０  直角Ｃ型クランプシングルジョイント
２０１  正逆転ネジ穴
２０２  正転スクリュー溝
２０３  逆転スクリュー溝
２０４  Ｃ型クランプ
２０５  螺接端面
２１  斜角Ｃ型クランプシングルジョイント
２１１  正逆転ネジ穴
２１２  正転スクリュー溝
２１３  逆転スクリュー溝
２１４  Ｃ型クランプ
２１５  螺接端面
２２  直角軸管付きシングルジョイント
２２１  正逆転ネジ穴
２２２  正転スクリュー溝
２２３  逆転スクリュー溝
２２４  軸管
２２５  穴
２２６  螺接端面
２３  斜角軸管付きシングルジョイント
２３１  正逆転ネジ穴
２３２  正転スクリュー溝
２３３  逆転スクリュー溝
２３４  軸管
２３５  穴
２３６  螺接端面
３０  第一ジョイント棒
３０１  正転外ねじ山
３０２  逆転外ねじ山
３１  第二ジョイント棒
３２  第三ジョイント棒
４０  ジョイント
４１  螺接端面
４２  正逆転ネジ穴
４３  正転スクリュー溝
４４  逆転スクリュー溝
５０  第一作品
６０  第二作品
【図１】
0003201837.tif 000003
【図２】
0003201837.tif 000004
【図３】
0003201837.tif 000005
【図４】
0003201837.tif 000006
【図５】
0003201837.tif 000007
【図６】
0003201837.tif 000008
【図７】
0003201837.tif 000009
【図８】
0003201837.tif 000010
【図９】
0003201837.tif 000011
【図１０】
0003201837.tif 000012
【図１１】
0003201837.tif 000013
【図１２】
0003201837.tif 000014